Podtech/llm-jp-corpus-v4-ja_patent huggingface dataset:
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
紙搬送制御を行う第１のＣＰＵと、
前記第１のＣＰＵが制御する紙搬送より搬送方向上流側の紙搬送制御を行う第２のＣＰＵと、
前記紙搬送制御のための前記第１のＣＰＵのクロック信号と前記第２のＣＰＵのクロック信号のずれを検出し、該検出結果を前記紙搬送制御に反映させる手段とを有する画像形成装置。
【請求項２】
前記反映させる手段は、前記第１のＣＰＵのクロック信号と前記第２のＣＰＵのクロック信号のずれの検出を、前記第１のＣＰＵと前記第２のＣＰＵとの間のシリアル通信を介して行うことを特徴とする請求項１記載の画像形成装置。
【請求項３】
前記第２のＣＰＵは、前記第１のＣＰＵから前記紙搬送制御のためのデータを前記シリアル通信を介して予め受信することを特徴とする請求項２記載の画像形成装置。
【請求項４】
前記第２のＣＰＵは、前記第１のＣＰＵから受信した前記紙搬送制御のためのデータと前記第２のＣＰＵの前記クロック信号とに基づいて前記紙搬送制御を行うことを特徴とする請求項３記載の画像形成装置。
【請求項５】
前記第１のＣＰＵは紙搬送制御とともに画像形成制御を行うマスターＣＰＵであり、
前記第２のＣＰＵは前記搬送方向上流側の紙搬送制御を行うスレーブＣＰＵであり、
前記マスターＣＰＵと前記スレーブＣＰＵ間で所定の通信データの受け渡しを、予め決められた所定時間を有するシリアル通信で行い、
前記スレーブＣＰＵ又は前記マスターＣＰＵは、
各ＣＰＵ側の発振回路のクロック信号により、前記シリアル通信の予め決められた所定時間をカウントし、
前記予め決められた所定時間と前記カウントで得られたカウンタ値とから前記スレーブＣＰＵ側の発振回路のクロック周波数（又は周期）を算出し、
前記算出したスレーブＣＰＵ側の発振回路のクロック周波数（又は周期）と、当該スレーブＣＰＵ側において予め決められたクロック周波数（又は周期）とを比較し、両クロック周波数（又は周期）の差異から前記スレーブＣＰＵ側の発振回路のクロック周波数（又は周期）の変動を検出し、
前記検出したスレーブＣＰＵ側の発振回路のクロック周波数の変動に基づいて、前記スレーブＣＰＵによる紙搬送の動作が、前記スレーブＣＰＵ側において予め決められたクロック周波数に基づく動作となるように補正を行う請求項１〜４のいずれかに記載の画像形成装置。
【請求項６】
前記予め決められた所定時間は、シリアル通信において通信データ間の送信間隔であり、
前記マスターＣＰＵは、前記スレーブＣＰＵへ予め決められた所定時間の送信間隔でシリアル通信を行い、
前記スレーブＣＰＵは、前記スレーブＣＰＵ側の発振回路のクロック信号で前記送信間隔をカウントし、前記予め決められた所定時間と前記カウントで得られたカウンタ値とから前記スレーブＣＰＵ側の発振回路のクロック周波数を算出する請求項５記載の画像形成装置。
【請求項７】
前記予め決められた所定時間は、前記通信データのデータ送信時間であり、
前記マスターＣＰＵは、前記スレーブＣＰＵへ予め決められた所定時間のデータ送信時間の通信データをシリアル通信し、
前記スレーブＣＰＵは、前記スレーブＣＰＵ側の発振回路のクロック信号で前記通信データのデータ送信時間をカウントし、予め決められた所定時間と前記カウントで得られたカウンタ値とから前記スレーブＣＰＵ側の発振回路のクロック周波数を算出する請求項５記載の画像形成装置。
【請求項８】
前記スレーブＣＰＵ側の発振回路の発振精度は、前記マスターＣＰＵ側の発振回路の発振精度より低い請求項５、６または７記載の画像形成装置。
【請求項９】
搬送される紙に画像を形成する画像形成部および紙を給紙搬送する複数段の紙搬送部は直列接続自在であり、各紙搬送部はそれぞれ前記スレーブＣＰＵを備え、
前記マスターＣＰＵと前記各スレーブＣＰＵとをカスケード接続し、当該カスケード接続において前記マスターＣＰＵ側を上流側としてシリアル通信を行い、
下流側の前記スレーブＣＰＵは、予め決められた所定時間のカウントにおいて、当該下流側のスレーブＣＰＵに接続される上流側の前記マスターＣＰＵ又は前記スレーブＣＰＵからの通信データのデータ長及び／又は通信データ間の時間間隔に基づいて、前記予め決められた所定時間を取得し、取得した所定時間を当該下流側のＣＰＵ側の発振回路のクロック信号によりカウントし、
前記予め決められた所定時間と前記カウントで得られたカウンタ値とから前記スレーブＣＰＵ側の発振回路のクロック周波数を算出する請求項５記載の画像形成装置。
【請求項１０】
搬送される紙に画像を形成する画像形成部および紙を給紙搬送する複数段の紙搬送部は直列接続自在であり、各紙搬送部はそれぞれ前記スレーブＣＰＵを備え、
前記マスターＣＰＵと前記各スレーブＣＰＵとをカスケード接続し、当該カスケード接続において前記マスターＣＰＵ側を上流側としてシリアル通信を行い、
上流側の前記スレーブＣＰＵ又は前記マスターＣＰＵは、予め決められた所定時間のカウントにおいて、当該上流側のスレーブＣＰＵに接続される下流側の前記マスターＣＰＵからの通信データのデータ長及び／又は通信データ間の時間間隔に基づいて、前記予め決められた所定時間を取得し、取得した所定時間を当該上流側のスレーブＣＰＵ側の発振回路のクロック信号又は前記マスターＣＰＵ側の発振回路のクロック信号によりカウントし、
前記予め決められた所定時間と前記カウントで得られたカウンタ値とから前記スレーブＣＰＵ側の発振回路のクロック周波数を算出する請求項５記載の画像形成装置。
【請求項１１】
搬送される紙に画像を形成する画像形成部および紙を給紙搬送する複数段の紙搬送部は直列接続自在であり、各紙搬送部はそれぞれ前記スレーブＣＰＵを備え、
前記マスターＣＰＵと前記各スレーブＣＰＵとをカスケード接続し、当該カスケード接続において前記マスターＣＰＵ側を上流側としてシリアル通信を行い、
下流側の前記スレーブＣＰＵは、予め決められた所定時間のカウントにおいて、当該下流側のスレーブＣＰＵに接続される上流側の前記マスターＣＰＵ又は前記スレーブＣＰＵからの通信データのデータ長及び／又は通信データ間の時間間隔に基づいて、前記予め決められた所定時間を取得し、取得した所定時間を当該下流側のＣＰＵ側の発振回路のクロック信号によりカウントし、前記予め決められた所定時間と前記カウントで得られたカウンタ値とから前記スレーブＣＰＵ側の発振回路のクロック周波数（又は周期）を算出して第１のクロック周波数（又は周期）とし、
前記上流側のスレーブＣＰＵは、予め決められた所定時間のカウントにおいて、当該上流側のスレーブＣＰＵに接続される前記下流側のマスターＣＰＵからの通信データのデータ長及び／又は通信データ間の時間間隔に基づいて、前記予め決められた所定時間を取得し、取得した所定時間を当該上流側のスレーブＣＰＵ側の発振回路のクロック信号によりカウントし、前記予め決められた所定時間と前記カウントで得られたカウンタ値とから前記スレーブＣＰＵ側の発振回路のクロック周波数を算出して第２のクロック周波数とし、
前記第１のクロック周波数と第２のクロック周波数とに重み付けを行って当該スレーブＣＰＵのクロック周波数を算出する請求項５記載の画像形成装置。
【手続補正書】
【提出日】平成26年2月21日(2014.2.21)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
画素部を有する表示装置であって、
前記画素部は、透光性を有する第１の領域と、前記第１の領域を囲むように設けられた第２の領域と、を有し、
前記第１の領域は、透明導電膜を有し、
前記第２の領域は、前記透明導電膜と前記透明導電膜上の金属膜との積層を有し、
前記金属膜の側面は、基板に対して傾斜を有する領域を有し、
前記傾斜を有する領域は、絶縁膜に覆われていることを特徴とする表示装置。
【請求項２】
画素部を有する表示装置であって、
前記画素部は、透光性を有する第１の領域と、前記第１の領域を囲むように設けられた第２の領域と、を有し、
前記第１の領域は、透明導電膜を有し、
前記第２の領域は、前記透明導電膜と前記透明導電膜上の金属膜との積層を有し、
前記金属膜の側面は、基板に対して傾斜を有する領域を有し、
前記傾斜を有する領域は、絶縁膜に覆われており、
前記透明導電膜は、インジウムスズ酸化物、インジウムスズ珪素酸化物、インジウム亜鉛酸化物、酸化亜鉛膜、または酸化スズを有し、
前記金属膜は、Ｔｉ、Ｍｏ、Ｔａ、Ｃｒ、Ｗ、またはＡｌを有することを特徴とする表示装置。
【請求項３】
画素部を有する表示装置であって、
前記画素部は、透光性を有する第１の領域と、前記第１の領域を囲むように設けられた第２の領域と、を有し、
前記第１の領域は、透明導電膜を有し、
前記第２の領域は、前記透明導電膜と前記透明導電膜上の金属膜との積層と、遮光膜と、を有し、
前記金属膜の側面は、基板に対して傾斜を有する領域を有し、
前記傾斜を有する領域は、絶縁膜に覆われており、
前記遮光膜は、前記金属膜と重なる領域を有することを特徴とする表示装置。
【請求項４】
請求項１乃至請求項３のいずれか一項において、
前記金属膜は、第１の層と第２の層との積層を有し、
前記第１の層の側面及び前記第２の層の側面は、前記基板に対して傾斜を有する領域を有し、
前記第１の層の側面の傾斜角は、前記第２の層の側面の傾斜角と異なる角度を有することを特徴とする表示装置。
【請求項５】
請求項１乃至請求項３のいずれか一項において、
前記透明導電膜の側面は、前記基板に対して傾斜を有する領域を有することを特徴とする表示装置。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
第１の絶縁体を有し、
前記第１の絶縁体よりも上方にトランジスタを有し、
前記トランジスタよりも上方に第１の導電層を有し、
前記第１の導電層よりも上方にアンテナとして機能することができる第２の導電層を有し、
前記第２の導電層よりも上方に第２の絶縁体を有し、
前記第１の絶縁体は、アラミドを有することを特徴とする半導体装置。
【請求項２】
第１の絶縁体を有し、
前記第１の絶縁体よりも上方にトランジスタを有し、
前記トランジスタよりも上方に第１の導電層を有し、
前記第１の導電層よりも上方にアンテナとして機能することができる第２の導電層を有し、
前記第２の導電層よりも上方に第２の絶縁体を有し、
前記第２の絶縁体は、アラミドを有することを特徴とする半導体装置。
【請求項３】
第１の絶縁体を有し、
前記第１の絶縁体よりも上方にトランジスタを有し、
前記トランジスタよりも上方に第１の導電層を有し、
前記第１の導電層よりも上方にアンテナとして機能することができる第２の導電層を有し、
前記第２の導電層よりも上方に第２の絶縁体を有し、
前記第１の絶縁体は、アラミドを有し、
前記第２の絶縁体は、アラミドを有することを特徴とする半導体装置。
【請求項４】
第１の絶縁体を有し、
前記第１の絶縁体よりも上方にトランジスタを有し、
前記トランジスタよりも上方に第１の導電層を有し、
前記第１の導電層よりも上方に所定形状を有する第２の導電層を有し、
前記第２の導電層よりも上方に第２の絶縁体を有し、
前記所定形状は、直線形状、曲線形状、蛇行形状、コイル形状、又はリボン形状のうちいずれか一の形状を少なくとも有し、
前記第１の絶縁体は、アラミドを有することを特徴とする半導体装置。
【請求項５】
第１の絶縁体を有し、
前記第１の絶縁体よりも上方にトランジスタを有し、
前記トランジスタよりも上方に第１の導電層を有し、
前記第１の導電層よりも上方に所定形状を有する第２の導電層を有し、
前記第２の導電層よりも上方に第２の絶縁体を有し、
前記所定形状は、直線形状、曲線形状、蛇行形状、コイル形状、又はリボン形状のうちいずれか一の形状を少なくとも有し、
前記第２の絶縁体は、アラミドを有することを特徴とする半導体装置。
【請求項６】
第１の絶縁体を有し、
前記第１の絶縁体よりも上方にトランジスタを有し、
前記トランジスタよりも上方に第１の導電層を有し、
前記第１の導電層よりも上方に所定形状を有する第２の導電層を有し、
前記第２の導電層よりも上方に第２の絶縁体を有し、
前記所定形状は、直線形状、曲線形状、蛇行形状、コイル形状、又はリボン形状のうちいずれか一の形状を少なくとも有し、
前記第１の絶縁体は、アラミドを有し、
前記第２の絶縁体は、アラミドを有することを特徴とする半導体装置。
【請求項７】
第１の絶縁体を有し、
前記第１の絶縁体よりも上方にトランジスタを有し、
前記トランジスタよりも上方に第１の導電層を有し、
前記第１の導電層よりも上方にアンテナとして機能することができる第２の導電層を有し、
前記第２の導電層よりも上方に第２の絶縁体を有し、
前記第１の絶縁体は、アラミドを有し、
前記トランジスタは、酸化物半導体を有することを特徴とする半導体装置。
【請求項８】
第１の絶縁体を有し、
前記第１の絶縁体よりも上方にトランジスタを有し、
前記トランジスタよりも上方に第１の導電層を有し、
前記第１の導電層よりも上方にアンテナとして機能することができる第２の導電層を有し、
前記第２の導電層よりも上方に第２の絶縁体を有し、
前記第２の絶縁体は、アラミドを有し、
前記トランジスタは、酸化物半導体を有することを特徴とする半導体装置。
【請求項９】
第１の絶縁体を有し、
前記第１の絶縁体よりも上方にトランジスタを有し、
前記トランジスタよりも上方に第１の導電層を有し、
前記第１の導電層よりも上方にアンテナとして機能することができる第２の導電層を有し、
前記第２の導電層よりも上方に第２の絶縁体を有し、
前記第１の絶縁体は、アラミドを有し、
前記第２の絶縁体は、アラミドを有し、
前記トランジスタは、酸化物半導体を有することを特徴とする半導体装置。
【請求項１０】
第１の絶縁体を有し、
前記第１の絶縁体よりも上方にトランジスタを有し、
前記トランジスタよりも上方に第１の導電層を有し、
前記第１の導電層よりも上方に所定形状を有する第２の導電層を有し、
前記第２の導電層よりも上方に第２の絶縁体を有し、
前記所定形状は、直線形状、曲線形状、蛇行形状、コイル形状、又はリボン形状のうちいずれか一の形状を少なくとも有し、
前記第１の絶縁体は、アラミドを有し、
前記トランジスタは、酸化物半導体を有することを特徴とする半導体装置。
【請求項１１】
第１の絶縁体を有し、
前記第１の絶縁体よりも上方にトランジスタを有し、
前記トランジスタよりも上方に第１の導電層を有し、
前記第１の導電層よりも上方に所定形状を有する第２の導電層を有し、
前記第２の導電層よりも上方に第２の絶縁体を有し、
前記所定形状は、直線形状、曲線形状、蛇行形状、コイル形状、又はリボン形状のうちいずれか一の形状を少なくとも有し、
前記第２の絶縁体は、アラミドを有し、
前記トランジスタは、酸化物半導体を有することを特徴とする半導体装置。
【請求項１２】
第１の絶縁体を有し、
前記第１の絶縁体よりも上方にトランジスタを有し、
前記トランジスタよりも上方に第１の導電層を有し、
前記第１の導電層よりも上方に所定形状を有する第２の導電層を有し、
前記第２の導電層よりも上方に第２の絶縁体を有し、
前記所定形状は、直線形状、曲線形状、蛇行形状、コイル形状、又はリボン形状のうちいずれか一の形状を少なくとも有し、
前記第１の絶縁体は、アラミドを有し、
前記第２の絶縁体は、アラミドを有し、
前記トランジスタは、酸化物半導体を有することを特徴とする半導体装置。
【手続補正書】
【提出日】平成26年10月16日(2014.10.16)
【手続補正１】
【補正対象書類名】明細書
【補正対象項目名】００２６
【補正方法】変更
【補正の内容】
【００２６】  また、ジョイント１３を伴ったチャッキングホルダー部２のシャンク３への取り付けは、一方が先のピン１５であり他方がピン１４である。
即ち、調整リング３６の外周に設けた雄ネジ３６ａがシャンク３端部に設けられた雌ネジ３ｅに螺合し、更に固定ネジＢ２８により調整位置を維持するように固定し、チャッキングホルダー部２をシャンク３内に浮動可能に保持する。
また、３６は調整リングであり、２４は波状リングである。この調整リング３６及び波状リング２４は加工ツール４の軸芯振れ量を調整するもので、該波状リング２４のスプリング範囲を調整リング３６の締め付け量で角度を可変させる。
即ち、上記調整リング３６の雄ネジ３６ａは間に波状リング２４を介在し、シャンク３の雌ネジ３ｅに螺合する。また状態を保持する為に固定ネジＢ２８がある。
従って、調整リング３６の締め付け、或いは緩め機能により上記調整リング３６及び、波状リング２４は第四の調整手段となる。
尚、上記鋼球受け部１７はネジＡ受け部１６とピン１５による位置決め部との間に設けられている。
以上のジョイント１３組み込みチャッキングホルダー部２の構成及びシャンク３の構成、更には鋼球１８、調整ナット７の構成により第一の調整手段は構成されている。
【手続補正２】
【補正対象書類名】明細書
【補正対象項目名】００２７
【補正方法】変更
【補正の内容】
【００２７】  １９ａは金属ワッシャーであり、１９ｂは鋼球が複数個組み込まれた鋼球保持器である。これら金属ワッシャー１９ａ、及び鋼球保持器１９ｂは調整リング３６とネジＡ受け部１６との間、及びネジＡ受け部１６とシャンク３との間に設けられシャンク３にチャッキングホルダー部２を組み付けた時、シャンク３に対しチャッキングホルダー部２の動きをスムーズなものとし、且つ浮動可能なものとしている。
【手続補正３】
【補正対象書類名】明細書
【補正対象項目名】００２９
【補正方法】変更
【補正の内容】
【００２９】  ２１はチャッキングホルダー部２の外周に、凹状に設けられたネジＢ受け部である。
先のジョイント１３の一方端はピン１５によりシャンク３に対し浮動可能及び首振り浮動可能に設けられている。
又、上記ジョイント１３の他方端はピン１４によりチャッキングホルダー部２に浮動可能及び首振り浮動可能に設けられている。
この時、上記ネジＢ受け部２１は上記ピン１４の近くで加工ツール側に設けられている。
即ち、上記ジョイント１３の他方端はシャンク３から離れた位置でチャッキングホルダー部２に設けられている。２２はチャッキングホルダー部２の外周で、且つ先のネジＢ受け部２１を覆うように設けられたフィッテングリングである。
このフィッテングリング２２の外周には、３６０度を４等分するように４個のネジ穴２３が設けられている。
そして、調整ネジＢ１１をネジ穴２３にねじ込むと該調整ネジＢ１１はネジＢ受け部２１に到達し、チャッキングホルダー部２を弾性変形させる。
【手続補正４】
【補正対象書類名】明細書
【補正対象項目名】００３３
【補正方法】変更
【補正の内容】
【００３３】  相対運動をする２つの部材、即ち、チャッキングホルダー部２とシャンク３とにまたがって延びる一連の供給経路に於いて、図示はしていないが、Ｏリング、Ｏリングリテーナをチャッキングホルダー部２とシャンク３との接続部に介在させ、多機能ツールホルダー本体１の外周へのクーラント漏れを防止するのは当然である。
このことにより加工ツール４の加工部は勿論シャンク３とチャッキングホルダー部２の円滑な平面浮動及び／首振り浮動を確保することが出来るものである。
尚、加工ツールに供給するクーラントの供給路を簡略化する手段にジョイント１３を内部中空の円筒体とし、この円筒体が持つ円筒孔をクーラントの供給路とすることが考えられる。
即ち、ジョイント１３は先に説明したジョイント（ユニバーサルジョイント）１３に限定されるものでなく、鋼球が組みこまれた内部中空の円筒体をシャンク３とチャッキングホルダー部２間に浮動可能で、且つ調整可能に支持されたものとすることができる。ここで、このジョイント構造に付いて説明する。
上記ジョイントは内部中空の円筒体と鋼球とから構成されるもので、円筒体両端に片側二個（両端で四個）の鋼球を回動自在に埋め込んでいる。
また、埋め込まれた鋼球は他側の直線と共同して円筒体（３６０度）を４等分する位置にある。
更に、上記片側に埋め込まれた鋼球は他側に埋め込まれた鋼球と９０度位置を変位させている。
そして、一方の直線上に位置する二つの鋼球はシャンク３側の係合溝に係合し、他方の直線上に位置する二つの鋼球はチャッキングホルダー部２の係合溝に係合するものである。
この時、鋼球が組みこまれた内部中空の円筒体（ジョイント）とシャンク３及びチャッキングホルダー部２当接部には圧縮バネが介在され、ジョイントをシャンク３及びチャッキングホルダー部２間に浮動可能、調整可能に支持している。
こうすることにより、ユニバーサルジョイント回りにクーラント供給用の流路３２等を設けることなく、円筒体の円筒孔を利用して加工ツール部へのクーラント供給路を作ることが出来る。
また、この円筒体のジョイントであれば、先に説明したジョイント１３に比較し小型軽量化が図れる。
【手続補正５】
【補正対象書類名】明細書
【補正対象項目名】００４２
【補正方法】変更
【補正の内容】
【００４２】１    多機能ツールホルダー
２    チャッキングホルダー部
３    シャンク  ３ａ  取り付け部  ３ｂ  雄ネジ  ３ｃ  穴  ３ｄ  ネジ穴  ３ｅ  雌ネジ
４    加工ツール  ４ａ  刃部  ４ｂ  外周面
５    シャンクホルダー
６    ツール固定ネジＡ
７    調整ナット  ７ａ  雌ネジ
８    調整カバーＡ
９    調整カバーＢ
１０  調整ネジＡ
１１  調整ネジＢ
１２  ロックカラー
１３  ジョイント
１４  ピン
１５  ピン
１６  ネジＡ受け部
１７  鋼球受け部
１８  鋼球                １８ｂ  補助鋼球
１９ａ  金属ワッシャー    １９ｂ  鋼球保持器
２０  クーラント供給装置
２１  ネジＢ受け部
２２  フィッテングリング
２３  ネジ穴
２４  波状スプリング
２６  テストインジゲータ
２８  固定ネジＢ
２９  固定ネジＣ
３０  流路
３１  周溝
３２  流路
３３  流路
３６  調整リング      ３６ａ  雄ネジ
【手続補正書】
【提出日】平成26年3月3日(2014.3.3)
【手続補正１】
【補正対象書類名】特許請求の範囲
【補正対象項目名】全文
【補正方法】変更
【補正の内容】
【特許請求の範囲】
【請求項１】
ろ過槽（１）に粒状ろ材（４・・・）を収納し、ろ過槽（１）の上部から原水を供給して底部から分離液を抜出す下降流式ろ過装置において、懸濁物質を捕捉する粒状ろ材（４）と、懸濁物質を通過させる通水助材（５）の混合比率を調整し、粒状ろ材（４）と通水助材（５）を混在させて深層ろ材層（２）をろ過槽（１）に形成したことを特徴とする深層ろ過装置。
【請求項２】
上記ろ過機能の粒状ろ材（４）と通水機能の通水助材（５）を均等に分散させて深層ろ材層（２）を形成したことを特徴とする請求項１に記載の深層ろ過装置。
【請求項３】
上記通水助材（５）を深層ろ材層（２）の表層側に密度を高く分散させたことを特徴とする請求項１に記載の深層ろ過装置。
【請求項４】
上記通水助材（５）を円筒状通水助材（１１、１２）で構成し、粒状ろ材（４）と円筒状通水助材（１１、１２）の混合比率を０．９〜０．５：０．１〜０．５としたことを特徴とする請求項１乃至請求項３の何れか１項に記載の深層ろ過装置。
【請求項５】
上記通水助材（５）を球状通水助材（１３）で構成し、粒状ろ材（４）と球状通水助材（１３）の混合比率を０．９〜０．５：０．１〜０．５としたこことを特徴とする請求項１乃至請求項３の何れか１項に記載の深層ろ過装置。
【請求項６】
上記通水助材（５）をモール状通水助材（１４）で構成し、粒状ろ材（４）とモール状通水助材（１４）の沈降速度を近似させ、混合比率を０．８〜０．４：０．２〜０．６としたことを特徴とする請求項１乃至請求項３の何れか１項に記載の深層ろ過装置。
【手続補正２】
【補正対象書類名】明細書
【補正対象項目名】０００２
【補正方法】変更
【補正の内容】
【０００２】
従来、砂ろ過装置は周知であり、砂ろ過装置に粒状活性炭及びガーネットを併用することも公知である。例えば、粒径０．４５〜０．８ｍｍの砂又はガーネット、或いは砂及びガーネットを多層として充填した第１ろ材層と、その上方の支持体に粒径０．９〜１．６ｍｍの粒状活性炭、又はアンスラサイトを充填した第２ろ材層を形性し、下降流にてろ過処理を行うろ過装置が、特許文献１に開示されている。そして、樹脂性ろ材や繊維ろ材等を用いて固液分離と生物処理を行うろ過装置もよく知られている。例えば、樹脂性ろ材を使用する排水の一次処理装置として、処理槽内のろ材層に空隙率が７０％以上、比重が１．０以下の小型円筒状ろ材を充填した上向流式の固液分離装置が特許文献２に開示されている。また、生物処理等の曝気室に使用する流動可能な充填材として、比重が０．８００〜０．９９９の合成樹脂で大きな表面積を有し、外環が略球状の水処理用充填材も特許文献３に開示されている。
【手続補正３】
【補正対象書類名】明細書
【補正対象項目名】００１２
【補正方法】変更
【補正の内容】
【００１２】
この発明の要旨は、ろ過槽に粒状ろ材を収納し、ろ過槽の上部から原水を供給し、ろ過槽の底部から分離液を抜出す下降流式ろ過装置において、懸濁物質を捕捉する粒状ろ材と、懸濁物質を通過させる通水助材の混合比率を調整し、粒状ろ材と通水助材を混在させて深層ろ材層を形成したもので、深層ろ材層を形成する粒状ろ材が原水に含まれる懸濁物質を表層部から徐々に原水の流れ方向に沿って捕捉帯を進行させ、通水助材が一部の懸濁物質をそのままろ材層の奥へ通過させ、後方のろ材層を形成する粒状ろ材で懸濁物質を捕捉して、全体の深層ろ材層の機能を活用して固液分離が行なえる。
【手続補正４】
【補正対象書類名】明細書
【補正対象項目名】００２１
【補正方法】変更
【補正の内容】
【００２１】
図２に示す深層ろ過装置６に形成する深層ろ材層２は、通水助材５を円筒状通水助材１１、１２で構成し、粒状ろ材４と円筒状通水助材１１，１２の混合比率を０．９〜０．５：０．１〜０．５とすれば、ブレイクスルー現象を防止しながら、ろ材層全体の捕捉ＳＳ量を維持することができる。図５は他の実施例の通水機能を有する球状通水助材の外形図であって、懸濁物質を深層ろ材層２の奥へ通過させる通水助材５は、比重１．０〜３．０に調整したＰＥＴ製で、外環が円球状のΦ５ｍｍの球状通水助材１３で構成している。図２に示す深層ろ過装置６に形成する深層ろ材層２は、通水助材５を球状通水助材１３で構成し、粒状ろ材４と球状通水助材１３の混合比率を０．９〜０．５：０．１〜０．５とすればブレイクスルー現象を防止しながら、ろ材層全体を活用できる。
【手続補正５】
【補正対象書類名】明細書
【補正対象項目名】００２２
【補正方法】変更
【補正の内容】
【００２２】
図６は他の実施例の通水機能を有するモール状通水助材の外形図であって、通水助材５は、比重７．７のステンレス又は比重２．７のアルミの芯材１４ａにＰＥＴ製の花糸１４ｂを接着してあり、外径Φ５ｍｍ×長さ５ｍｍの比重１．０〜３．０に調整したモール状通水助材１４を形成している。なお、モール状通水助材１４はガラス繊維で形成しても良いものである。モール状通水助材１４は花糸１４ｂの本数を少なくした粗雑な繊維とすれば、懸濁物質の空隙が大きくなり、モール状通水助材１４の花糸１４ｂを緻密にすればろ過機能を備えることができる。図２に示す深層ろ過装置６に形成する深層ろ材層２は、通水助材５をモール状通水助材１４で構成し、粒状ろ材４とモール状通水助材１４の混合比率を０．８〜０．４：０．２〜０．６とすれば、懸濁物質を深部に流入させて、全体の深層ろ材層２の機能を発揮できる。通水機能を有する通水助材５を構成する円筒状通水助材１１，１２、球状通水助材１３、及びモール状通水助材１４は、生物処理の微生物を生息させることも可能である。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
不飽和アルデヒドを分子状酸素含有ガスにより気相接触酸化して対応する不飽和カルボン酸を製造する際に使用される複合酸化物触媒において、
上記複合酸化物触媒は、下記式（１）で示される触媒であり、
上記複合酸化物触媒の表面積は、０．５ｍ２／ｇ以上１０ｍ２／ｇ以下であり、
上記複合酸化物触媒の細孔容積は、０．１ｃｃ／ｇ以上０．９ｃｃ／ｇ以下であり、
上記複合酸化物触媒の細孔のうち、細孔直径が０．１μｍ未満の細孔により占められる細孔容積は、全細孔容積の２０％以上であり、
上記複合酸化物触媒の細孔のうち、細孔直径が０．１μｍ以上１μｍ未満の細孔により占められる細孔容積は、全細孔容積の１０％以上であり、
上記複合酸化物触媒の細孔のうち、細孔直径が１μｍ以上１０μｍ未満の細孔により占められる細孔容積は、全細孔容積の８０％以下であり、
上記複合酸化物触媒の細孔のうち、細孔直径が１０μｍ以上の細孔により占められる細孔容積は、全細孔容積の１０％以下である細孔径分布を有することを特徴とする複合酸化物触媒。
(Ｍｏ)１２(Ｖ)ａ(Ｘ)ｂ(Ｃｕ)ｃ(Ｙ)ｄ(Ｓｂ)ｅ(Ｚ)ｆ(Ｓｉ)ｇ(Ｃ)ｈ(Ｏ)ｉ    （１）
（式中、各成分及び変数は次の意味を有する。ＸはＮｂ、Ｗから選ばれた少なくとも一種の元素を示す。ＹはＭｇ、Ｃａ、Ｓｒ、Ｂａ及びＺｎから選ばれた少なくとも一種の元素を示す。ＺはＦｅ、Ｃｏ、Ｎｉ、Ｂｉから選ばれた少なくとも一種の元素を示す。但し、Ｍｏ、Ｖ、Ｎｂ、Ｗ、Ｃｕ、Ｍｇ、Ｃａ、Ｓｒ、Ｂａ、Ｚｎ、Ｓｂ、Ｆｅ、Ｃｏ、Ｎｉ、Ｂｉ、Ｓｉ、Ｃ及びＯは元素記号である。ａ、ｂ、ｃ、ｄ、ｅ、ｆ、ｇ、ｈ及びｉは各元素の原子比を示し、０＜ａ≦１２、０≦ｂ≦１２、０＜ｃ≦１２、０≦ｄ≦８、０≦ｅ≦５００、０≦ｆ≦５００、０≦ｇ≦５００、０≦ｈ≦５００、ｉはＣを除いた上記各元素の酸化度によって決まる数である。）
【請求項２】
触媒に含有するＭｏの割合が１５重量％以上５０重量％以下である、請求項１に記載の複合酸化物触媒。
【請求項３】
触媒前駆化合物に含有する硫酸根の割合が１重量％以上２．５重量％以下である請求項１または２に記載の複合酸化物触媒。
【請求項４】
請求項１乃至３のいずれか１項に記載の複合酸化物触媒を用いて、アクロレインを分子状酸素で気相接触酸化することを特徴とするアクリル酸の製造方法。
【手続補正２】
【補正対象書類名】明細書
【補正対象項目名】００１１
【補正方法】変更
【補正の内容】
【００１１】
また、上記の触媒を用いて、アクロレインを分子状酸素で気相接触酸化してアクリル酸を製造することができる。
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
ＰＴＰシートから錠剤を取り出す複数の錠剤取出ユニットを具備する錠剤供給装置を制御するコンピュータであって、
少なくとも１つの錠剤の処方内容が含まれる処方箋データを受け付ける受付手段と、
前記複数の錠剤取出ユニットのうちいずれの錠剤取出ユニットを使用するかを、錠剤に対応した配置情報として記憶する記憶手段と、
前記受付手段で受け付けた前記処方データに含まれる錠剤に対応するＰＴＰシートを配置する錠剤取出ユニットを、前記記憶手段に記憶された前記配置情報に基づいて決定する決定手段と、
前記決定手段で決定された前記錠剤取出ユニットを識別できるように表示制御する表示制御手段と、
を備えることを特徴とするコンピュータ。
【請求項２】
前記決定手段は、前記記憶手段に記憶された前記配置情報に基づいて、ＰＴＰシートを配置する錠剤取出ユニットが決定されたにもかかわらず、当該錠剤取出ユニットが使用できない場合には、前記処方箋データに含まれる錠剤に対応するＰＴＰシートを他の錠剤取出ユニットには配置しないように決定することを特徴とする請求項１に記載のコンピュータ。
【請求項３】
前記処方データに複数の錠剤の処方内容が含まれる場合に、１つの錠剤ごとに前記決定手段による決定を行うことを特徴とする請求項１または２に記載のコンピュータ。
【請求項４】
過去にＰＴＰシートを配置した錠剤取出ユニットを錠剤ごとに記憶する履歴データ記憶手段をさらに有し、
前記決定手段は、前記受信手段で受信した前記処方箋データに含まれる錠剤が、前記履歴データに記憶される錠剤である場合には、前記記憶手段に記憶された前記配置情報より優先して当該錠剤取出ユニットに配置されるように決定することを特徴とする請求項１乃至３のいずれか１項に記載のコンピュータ。
【請求項５】
手撒き部に撒く錠剤を記憶する手撒錠剤記憶手段を更に有し、
前記決定手段は、前記受付手段で受け付けた処方箋データに含まれる錠剤が前記手撒錠剤記憶手段に記憶される錠剤である場合には、前記受付手段で受け付けた処方箋データに含まれる錠剤に対応するＰＴＰシートを錠剤取出ユニットに配置さしないように決定することを特徴とする請求項１乃至４のいずれか１項に記載のコンピュータ。
【請求項６】
前記表示制御手段は、前記錠剤供給装置の各錠剤取出ユニットに設けられた点灯指示手段を点灯させるように制御することを特徴とする請求項１乃至５のいずれか１項に記載のコンピュータ。
【請求項７】
ＰＴＰシートから錠剤を取り出す複数の錠剤取出ユニットを具備する錠剤供給装置を制御し、前記複数の錠剤取出ユニットのうちいずれの錠剤取出ユニットを使用するかを、錠剤に対応した配置情報として記憶する記憶手段を備えたコンピュータの制御方法であって、
少なくとも１つの錠剤の処方内容が含まれる処方箋データを受け付ける受付工程と、
前記受付工程で受け付けた前記処方データに含まれる錠剤に対応するＰＴＰシートを配置する錠剤取出ユニットを、前記記憶手段に記憶された前記配置情報に基づいて決定する決定工程と、
前記決定工程で決定された前記錠剤取出ユニットを識別できるように表示制御する表示制御工程と、
を備えることを特徴とする制御方法。
【請求項８】
ＰＴＰシートから錠剤を取り出す複数の錠剤取出ユニットを具備する錠剤供給装置を制御し、前記複数の錠剤取出ユニットのうちいずれの錠剤取出ユニットを使用するかを、錠剤に対応した配置情報として記憶する記憶手段を備えたコンピュータで読み取り実行可能なプログラムであって、
前記コンピュータを、
少なくとも１つの錠剤の処方内容が含まれる処方箋データを受け付ける受付手段、
前記受付手段で受け付けた前記処方データに含まれる錠剤に対応するＰＴＰシートを配置する錠剤取出ユニットを、前記記憶手段に記憶された前記配置情報に基づいて決定する決定手段、
前記決定手段で決定された前記錠剤取出ユニットを識別できるように表示制御する表示制御手段、
として機能させることを特徴とするプログラム。
【手続補正２】
【補正対象書類名】明細書
【補正対象項目名】０００６
【補正方法】変更
【補正の内容】
【０００６】
本願発明は、ＰＴＰシートから錠剤を取り出す複数の錠剤取出ユニットを具備する錠剤供給装置を制御するコンピュータであって、少なくとも１つの錠剤の処方内容が含まれる処方箋データを受け付ける受付手段と、前記複数の錠剤取出ユニットのうちいずれの錠剤取出ユニットを使用するかを、錠剤に対応した配置情報として記憶する記憶手段と、前記受付手段で受け付けた前記処方データに含まれる錠剤に対応するＰＴＰシートを配置する錠剤取出ユニットを、前記記憶手段に記憶された前記配置情報に基づいて決定する決定手段と、前記決定手段で決定された前記錠剤取出ユニットを識別できるように表示制御する表示制御手段と、を備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正書】
【提出日】平成26年4月28日(2014.4.28)
【手続補正１】
【補正対象書類名】特許請求の範囲
【補正対象項目名】請求項１
【補正方法】変更
【補正の内容】
【請求項１】
複数種類の図柄を変動させて行う図柄変動ゲームを表示する表示手段を備え、前記図柄変動ゲームにて当り表示結果が表示された場合に、特別入賞手段が所定回数開放される当り遊技が行われる遊技機において、
第１図柄変動ゲームの始動条件を付与する第１始動検知手段と、
第２図柄変動ゲームの始動条件を付与する第２始動検知手段と、
前記第１始動検知手段で検知された遊技球に基づく判定情報を第１始動保留として第１記憶上限数まで記憶する第１保留記憶手段と、
前記第２始動検知手段で検知された遊技球に基づく判定情報を第２始動保留として第２記憶上限数まで記憶する第２保留記憶手段と、
前記第１始動検知手段又は前記第２始動検知手段で遊技球が検知されたことを契機に、当りか否かの当り判定を実行する当り判定手段と、
前記当り判定で当りと判定された場合に付与する当りの種類を複数種類の当りの中から決定する当り決定手段と、
前記第２始動検知手段への単位時間あたりの遊技球の入球確率を向上させる入球率向上状態の付与態様を制御する遊技状態制御手段と、
前記第１図柄変動ゲーム又は前記第２図柄変動ゲームを前記表示手段に表示させるように制御する図柄変動ゲーム制御手段と、を備え、
前記当り判定手段は、前記第１図柄変動ゲームに基づく当り判定、又は前記第２図柄変動ゲームに基づく当り判定で当りと判定する確率を同一確率とし、
前記図柄変動ゲーム制御手段は、
前記第１始動検知手段又は前記第２始動検知手段において遊技球を検知した順に図柄変動ゲームを実行させるようになっており、
前記遊技状態制御手段は、
前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、
前記入球率向上状態において前記第１図柄変動ゲームに基づく当り判定で当りと判定された場合、前記入球率向上状態が付与されていない非入球率向上状態において前記第１図柄変動ゲームに基づく当り判定で当りと判定された場合に比して多い回数を上限として当り遊技終了後の図柄変動ゲームで前記入球率向上状態を付与するようになっており、
特定当りが決定された場合、前記第１記憶上限数と同一回数の前記第１図柄変動ゲームが行われることを契機に前記入球率向上状態を終了させることを特徴とする遊技機。
【手続補正２】
【補正対象書類名】特許請求の範囲
【補正対象項目名】請求項３
【補正方法】変更
【補正の内容】
【請求項３】
前記遊技状態制御手段は、
前記非入球率向上状態において前記第１図柄変動ゲームで前記特定当りを除く当りが決定された場合、前記第２図柄変動ゲームに基づく当り判定で当りと判定された場合に当り遊技終了後に付与される前記入球率向上状態の付与回数よりも少なく、かつ前記第１保留記憶手段で記憶可能な第１記憶上限数よりも多い回数の図柄変動ゲームで前記入球率向上状態を付与することを特徴とする請求項１又は請求項２に記載の遊技機。
【手続補正３】
【補正対象書類名】明細書
【補正対象項目名】０００９
【補正方法】変更
【補正の内容】
【０００９】
上記問題点を解決するために、請求項１に記載の発明は、複数種類の図柄を変動させて行う図柄変動ゲームを表示する表示手段を備え、前記図柄変動ゲームにて当り表示結果が表示された場合に、特別入賞手段が所定回数開放される当り遊技が行われる遊技機において、第１図柄変動ゲームの始動条件を付与する第１始動検知手段と、第２図柄変動ゲームの始動条件を付与する第２始動検知手段と、前記第１始動検知手段で検知された遊技球に基づく判定情報を第１始動保留として第１記憶上限数まで記憶する第１保留記憶手段と、前記第２始動検知手段で検知された遊技球に基づく判定情報を第２始動保留として第２記憶上限数まで記憶する第２保留記憶手段と、前記第１始動検知手段又は前記第２始動検知手段で遊技球が検知されたことを契機に、当りか否かの当り判定を実行する当り判定手段と、前記当り判定で当りと判定された場合に付与する当りの種類を複数種類の当りの中から決定する当り決定手段と、前記第２始動検知手段への単位時間あたりの遊技球の入球確率を向上させる入球率向上状態の付与態様を制御する遊技状態制御手段と、前記第１図柄変動ゲーム又は前記第２図柄変動ゲームを前記表示手段に表示させるように制御する図柄変動ゲーム制御手段と、を備え、前記当り決定手段は、前記第１図柄変動ゲームに基づく当り判定、又は前記第２図柄変動ゲームに基づく当り判定で当りと判定する確率を同一確率とし、前記図柄変動ゲーム制御手段は、前記第１始動検知手段又は前記第２始動検知手段において遊技球を検知した順に図柄変動ゲームを実行させるようになっており、前記遊技状態制御手段は、前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、前記入球率向上状態において前記第１図柄変動ゲームに基づく当り判定で当りと判定された場合、前記入球率向上状態が付与されていない非入球率向上状態において前記第１図柄変動ゲームに基づく当り判定で当りと判定された場合に比して多い回数を上限として当り遊技終了後の図柄変動ゲームで前記入球率向上状態を付与するようになっており、特定当りが決定された場合、前記第１記憶上限数と同一回数の前記第１図柄変動ゲームが行われることを契機に前記入球率向上状態を終了させることを要旨とする。
【手続補正４】
【補正対象書類名】明細書
【補正対象項目名】００１１
【補正方法】変更
【補正の内容】
【００１１】
請求項３に記載の発明は、請求項１又は請求項２に記載の遊技機において、前記遊技状態制御手段は、前記非入球率向上状態において前記第１図柄変動ゲームで前記特定当りを除く当りが決定された場合、前記第２図柄変動ゲームに基づく当り判定で当りと判定された場合に当り遊技終了後に付与される前記入球率向上状態の付与回数よりも少なく、かつ前記第１保留記憶手段で記憶可能な第１記憶上限数よりも多い回数の図柄変動ゲームで前記入球率向上状態を付与することを要旨とする。
【手続補正書】
【提出日】平成26年3月28日(2014.3.28)
【手続補正１】
【補正対象書類名】特許請求の範囲
【補正対象項目名】請求項１
【補正方法】変更
【補正の内容】
【請求項１】
遊技球の入賞検知を行う始動入賞手段と、前記始動入賞手段により遊技球が検知されたことを契機に、複数種類の図柄の変動開始から複数列の図柄の確定停止までを１回とする図柄変動ゲームを表示する表示装置と、を備え、前記図柄変動ゲームにおいて予め定められた特別表示結果が表示された場合には、遊技者に有利となる特別遊技が付与される遊技機において、
前記始動入賞手段による遊技球の入賞検知を契機に、図柄変動ゲームにて特別表示結果が表示されるか否かを判定する結果判定手段と、
前記結果判定手段に基づき、図柄変動ゲームの演出時間を複数種類の演出時間の中から決定する演出時間決定手段と、
前記演出時間決定手段が決定した演出時間の図柄変動ゲームを前記表示装置に実行させる演出制御手段と、
前記演出時間決定手段により予め決められた演出時間を決定した場合には、前記図柄変動ゲームで少なくとも図柄の変動開始を特定できる変動サイクルを大当り期待度に応じた回数分実行させる連続演出と、大当り期待度の異なる複数種類のリーチ演出を連続的に実行させる特定演出のうちいずれを実行させるかを決定する実行演出決定手段と、を備え、
前記演出制御手段は、
前記特定演出を実行させる場合、最後のリーチ演出以外では、リーチ演出を途中まで実行させた後、予め決められた切替演出を実行させて次のリーチ演出を開始させることを特徴とする遊技機。
【手続補正２】
【補正対象書類名】明細書
【補正対象項目名】０００８
【補正方法】変更
【補正の内容】
【０００８】
上記問題点を解決するために、請求項１に記載の発明は、遊技球の入賞検知を行う始動入賞手段と、前記始動入賞手段により遊技球が検知されたことを契機に、複数種類の図柄の変動開始から複数列の図柄の確定停止までを１回とする図柄変動ゲームを表示する表示装置と、を備え、前記図柄変動ゲームにおいて予め定められた特別表示結果が表示された場合には、遊技者に有利となる特別遊技が付与される遊技機において、前記始動入賞手段による遊技球の入賞検知を契機に、図柄変動ゲームにて特別表示結果が表示されるか否かを判定する結果判定手段と、前記結果判定手段に基づき、図柄変動ゲームの演出時間を複数種類の演出時間の中から決定する演出時間決定手段と、前記演出時間決定手段が決定した演出時間の図柄変動ゲームを前記表示装置に実行させる演出制御手段と、前記演出時間決定手段により予め決められた演出時間を決定した場合には、前記図柄変動ゲームで少なくとも図柄の変動開始を特定できる変動サイクルを大当り期待度に応じた回数分実行させる連続演出と、大当り期待度の異なる複数種類のリーチ演出を連続的に実行させる特定演出のうちいずれを実行させるかを決定する実行演出決定手段と、を備え、前記演出制御手段は、前記特定演出を実行させる場合、最後のリーチ演出以外では、リーチ演出を途中まで実行させた後、予め決められた切替演出を実行させて次のリーチ演出を開始させることを要旨とする。
【手続補正書】
【提出日】平成26年4月28日(2014.4.28)
【手続補正１】
【補正対象書類名】特許請求の範囲
【補正対象項目名】請求項１
【補正方法】変更
【補正の内容】
【請求項１】
複数種類の図柄を変動させて行う図柄変動ゲームを表示する表示手段を備え、前記図柄変動ゲームにて当り表示結果が表示された場合に、特別入賞手段が所定回数開放される当り遊技が行われる遊技機において、
第１図柄変動ゲームの始動条件を付与する第１始動検知手段と、
第２図柄変動ゲームの始動条件を付与する第２始動検知手段と、
前記第１始動検知手段で検知された遊技球に基づく判定情報を第１始動保留として第１記憶上限数まで記憶する第１保留記憶手段と、
前記第２始動検知手段で検知された遊技球に基づく判定情報を第２始動保留として第２記憶上限数まで記憶する第２保留記憶手段と、
前記第１始動検知手段又は前記第２始動検知手段で遊技球が検知されたことを契機に、当りか否かの当り判定を実行する当り判定手段と、
前記当り判定で当りと判定された場合に付与する当りの種類を複数種類の当りの中から決定する当り決定手段と、
前記第２始動検知手段への単位時間あたりの遊技球の入球確率を向上させる入球率向上状態の付与態様を制御する遊技状態制御手段と、
前記第１図柄変動ゲーム又は前記第２図柄変動ゲームを前記表示手段に表示させるように制御する図柄変動ゲーム制御手段と、を備え、
前記当り判定手段は、前記第１図柄変動ゲームに基づく当り判定、又は前記第２図柄変動ゲームに基づく当り判定で当りと判定する確率を同一確率とし、
前記図柄変動ゲーム制御手段は、
前記第１始動検知手段又は前記第２始動検知手段において遊技球を検知した順に図柄変動ゲームを実行させるようになっており、
前記遊技状態制御手段は、
前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、
前記入球率向上状態が付与されていない非入球率向上状態において前記第１図柄変動ゲームで特定当りが決定された場合、前記第１保留記憶手段で記憶可能な前記第１記憶上限数と同一数を上限として当り遊技終了後の所定回数の図柄変動ゲームで前記入球率向上状態を付与する一方で、
前記入球率向上状態において前記第１図柄変動ゲームに基づく当り判定で当りと判定された場合、前記非入球率向上状態において前記第１図柄変動ゲームに基づく当り判定で当りと判定された場合に比して多い付与回数を上限として当り遊技終了後の図柄変動ゲームで前記入球率向上状態を付与するようになっており、
前記特定当りに基づく当り遊技終了後、前記第１記憶上限数及び前記第２記憶上限数の合算数に相当する回数の図柄変動ゲームが実行されるまでを上限とする特定期間中に、前記第１図柄変動ゲームに基づく当り判定で当りと判定された場合、前記付与回数を上限として当り遊技終了後の図柄変動ゲームで前記入球率向上状態を付与することを特徴とする遊技機。
【手続補正２】
【補正対象書類名】明細書
【補正対象項目名】０００９
【補正方法】変更
【補正の内容】
【０００９】
上記問題点を解決するために、請求項１に記載の発明は、複数種類の図柄を変動させて行う図柄変動ゲームを表示する表示手段を備え、前記図柄変動ゲームにて当り表示結果が表示された場合に、特別入賞手段が所定回数開放される当り遊技が行われる遊技機において、第１図柄変動ゲームの始動条件を付与する第１始動検知手段と、第２図柄変動ゲームの始動条件を付与する第２始動検知手段と、前記第１始動検知手段で検知された遊技球に基づく判定情報を第１始動保留として第１記憶上限数まで記憶する第１保留記憶手段と、前記第２始動検知手段で検知された遊技球に基づく判定情報を第２始動保留として第２記憶上限数まで記憶する第２保留記憶手段と、前記第１始動検知手段又は前記第２始動検知手段で遊技球が検知されたことを契機に、当りか否かの当り判定を実行する当り判定手段と、前記当り判定で当りと判定された場合に付与する当りの種類を複数種類の当りの中から決定する当り決定手段と、前記第２始動検知手段への単位時間あたりの遊技球の入球確率を向上させる入球率向上状態の付与態様を制御する遊技状態制御手段と、前記第１図柄変動ゲーム又は前記第２図柄変動ゲームを前記表示手段に表示させるように制御する図柄変動ゲーム制御手段と、を備え、前記当り判定手段は、前記第１図柄変動ゲームに基づく当り判定、又は前記第２図柄変動ゲームに基づく当り判定で当りと判定する確率を同一確率とし、前記図柄変動ゲーム制御手段は、前記第１始動検知手段又は前記第２始動検知手段において遊技球を検知した順に図柄変動ゲームを実行させるようになっており、前記遊技状態制御手段は、前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、前記入球率向上状態が付与されていない非入球率向上状態において前記第１図柄変動ゲームで特定当りが決定された場合、前記第１保留記憶手段で記憶可能な前記第１記憶上限数と同一数を上限として当り遊技終了後の所定回数の図柄変動ゲームで前記入球率向上状態を付与する一方で、前記入球率向上状態において前記第１図柄変動ゲームに基づく当り判定で当りと判定された場合、前記非入球率向上状態において前記第１図柄変動ゲームに基づく当り判定で当りと判定された場合に比して多い付与回数を上限として当り遊技終了後の図柄変動ゲームで前記入球率向上状態を付与するようになっており、前記特定当りに基づく当り遊技終了後、前記第１記憶上限数及び前記第２記憶上限数の合算数に相当する回数の図柄変動ゲームが実行されるまでを上限とする特定期間中に、前記第１図柄変動ゲームに基づく当り判定で当りと判定された場合、前記付与回数を上限として当り遊技終了後の図柄変動ゲームで前記入球率向上状態を付与することを要旨とする。
【手続補正書】
【提出日】平成26年3月28日(2014.3.28)
【手続補正１】
【補正対象書類名】特許請求の範囲
【補正対象項目名】請求項１
【補正方法】変更
【補正の内容】
【請求項１】
複数種類の図柄を変動させて行う図柄変動ゲーム中に当該図柄変動ゲームが大当りとなる可能性の高低を示唆する予告演出を実行する予告実行手段を備えた遊技機において、
前記予告演出として、所定演出を予め定めた順番に従って段階的に実行させ、実行された段階数と前記所定演出の内容によって大当り期待度の高低を示唆する段階予告演出を前記予告実行手段に実行させる段階予告演出制御手段と、
前記段階予告演出で行われる前記所定演出の実行段階数を示唆する内容で行われる特定演出を、前記段階予告演出の実行中、前記予告実行手段に実行させる特定演出制御手段と、を備えたことを特徴とする遊技機。
【手続補正２】
【補正対象書類名】特許請求の範囲
【補正対象項目名】請求項３
【補正方法】変更
【補正の内容】
【請求項３】
前記特定演出は、表示手段で表示される表示演出であって、
前記特定演出は、該特定演出を決定するために参照された所定演出と関連する表示形態で行われることを特徴とする請求項１又は請求項２に記載の遊技機。
【手続補正３】
【補正対象書類名】特許請求の範囲
【補正対象項目名】請求項４
【補正方法】変更
【補正の内容】
【請求項４】
複数種類の図柄の変動開始から図柄の確定停止までを１回とする１回の図柄変動ゲームにおいて、図柄の変動開始から複数列の変動停止までを１回とする変動サイクルを複数回連続して実行する連続演出を表示手段に実行させる連続演出制御手段を備え、
前記段階予告演出制御手段は、前記連続演出が実行される場合、前記変動サイクル毎に前記所定演出を前記予告実行手段に実行させることを特徴とする請求項１〜請求項３のうちいずれか一項に記載の遊技機。
【手続補正４】
【補正対象書類名】明細書
【補正対象項目名】０００８
【補正方法】変更
【補正の内容】
【０００８】
上記問題点を解決するために、請求項１に記載の発明は、複数種類の図柄を変動させて行う図柄変動ゲーム中に当該図柄変動ゲームが大当りとなる可能性の高低を示唆する予告演出を実行する予告実行手段を備えた遊技機において、前記予告演出として、所定演出を予め定めた順番に従って段階的に実行させ、実行された段階数と前記所定演出の内容によって大当り期待度の高低を示唆する段階予告演出を前記予告実行手段に実行させる段階予告演出制御手段と、前記段階予告演出で行われる前記所定演出の実行段階数を示唆する内容で行われる特定演出を、前記段階予告演出の実行中、前記予告実行手段に実行させる特定演出制御手段と、を備えたことを要旨とする。
【手続補正５】
【補正対象書類名】明細書
【補正対象項目名】００１０
【補正方法】変更
【補正の内容】
【００１０】
請求項３に記載の発明は、請求項１又は請求項２に記載の遊技機において、前記特定演出は、表示手段で表示される表示演出であって、前記特定演出は、該特定演出を決定するために参照された所定演出と関連する表示形態で行われることを要旨とする。
【手続補正６】
【補正対象書類名】明細書
【補正対象項目名】００１１
【補正方法】変更
【補正の内容】
【００１１】
請求項４に記載の発明は、請求項１〜請求項３のうちいずれか一項に記載の遊技機において、複数種類の図柄の変動開始から図柄の確定停止までを１回とする１回の図柄変動ゲームにおいて、図柄の変動開始から複数列の変動停止までを１回とする変動サイクルを複数回連続して実行する連続演出を表示手段に実行させる連続演出制御手段を備え、前記段階予告演出制御手段は、前記連続演出が実行される場合、前記変動サイクル毎に前記所定演出を前記予告実行手段に実行させることを要旨とする。